(57)【要約】【課題】仮設足場の支柱の受け部に挿入された横架材の楔部の抜け止めを容易に防止できる足場固定金具を提供する。【解決手段】支柱９と、この支柱９の外周面に設けられ上面に受け口８１を設けた受け部８と、端部に設けた楔部７を上方から前記受け口８１内に挿入して前記支柱９に取り付けられる横架材９０とを備えた仮設足場において使用される足場固定金具であって、前記支柱９を内部に挿入するための開口４が側面に形成されており、下部に前記楔部７の頭部に当接する楔抑え部３が形成された足場固定金具本体１と、この足場固定金具本体１の上部に取り付けられ、前記支柱９に固定されるクランプ部２とを備える。【選択図】図１
0003204851.tif 000002
【実用新案登録請求の範囲】
【請求項１】
支柱と、この支柱の外周面に設けられ上面に受け口を設けた受け部と、端部に設けた楔部を上方から前記受け口内に挿入して前記支柱に取り付けられる横架材とを備えた仮設足場において使用される足場固定金具であって、
前記支柱を内部に挿入するための開口が側面に形成されており、下部に前記楔部の頭部に当接する楔抑え部が形成された足場固定金具本体と、
この足場固定金具本体の上部に取り付けられ、前記支柱に固定されるクランプ部と、を備えたことを特徴とする足場固定金具。
【請求項２】
前記受け部が、前記支柱の周囲に９０°間隔で４つ形成されており、相対向する一対の受け部と、これに直交する他の一対の受け部とは、前記支柱の高さ方向に取り付け位置を異ならせており、前記足場固定金具本体の楔抑え部は、この受け部に挿入される楔部の頭部に当接するように前記足場固定金具本体の上端からの高さを足場固定金具本体の周方向に９０°間隔で異ならせている請求項１に記載の足場固定金具。
【請求項３】
前記足場固定金具本体が、側面に前記開口を設けた円柱状または多角柱状である請求項１または２に記載の足場固定金具。
【考案の詳細な説明】
【技術分野】
【０００１】
本考案は、仮設足場において、支柱の受け部に挿入された横架材の楔部の抜け止めを防止するための足場固定金具に関する。
【背景技術】
【０００２】
一般に低層から中層住宅やビルなどを建設する場合、仮設足場を組み立てて外壁作業などを行う。この仮設足場の中でも、敷地（建地）が狭い場合、支柱にブラケットおよび手摺を取り付け、ブラケット上に足場板を敷いた仮設足場が楔緊結式足場（一側足場）として知られている。
【０００３】
従来の仮設足場は、図９に示すように、断面略コ字形の上面に受け口５１を設けた受け部５０を溶接などにより取り付けた支柱５と、端部に楔体（楔部）６０が装着されたブラケットあるいは手摺などの横架材６とを含み、横架材６の端部に装着された楔部６０を、支柱５の受け部５０の受け口５１内に上方から挿入して組み立てられる。
【０００４】
上方から受け部５０に挿入されている楔部６０は、例えば下方から力がかかると容易に受け部５０から外れてしまうという問題がある。そのため、特許文献１には、受け部５０に挿入された楔部６０に抜け止めを防止できるロック機構を設けた足場用梁部材（足場部材）が提案されている。
【０００５】
しかしながら、特許文献１に記載の足場部材は、部品点数が多く複雑な構造であり、且つ楔部の抜け止め防止を解除する際に作業者にとって煩雑な作業が必要となっている。
【先行技術文献】
【特許文献】
【０００６】
【特許文献１】特開２０１２−５７３３６号公報
【考案の概要】
【考案が解決しようとする課題】
【０００７】
本考案の課題は、仮設足場の支柱の受け部に挿入された横架材の楔部の抜け止めを容易に防止できる足場固定金具を提供することである。
【課題を解決するための手段】
【０００８】
本考案は、上記課題を解決するべく完成されたものであって、以下の構成からなる。
（１）支柱と、この支柱の外周面に設けられ上面に受け口を設けた受け部と、端部に設けた楔部を上方から前記受け口内に挿入して前記支柱に取り付けられる横架材とを備えた仮設足場において使用される足場固定金具であって、前記支柱を内部に挿入するための開口が側面に形成されており、下部に前記楔部の頭部に当接する楔抑え部が形成された足場固定金具本体と、この足場固定金具本体の上部に取り付けられ、前記支柱に固定されるクランプ部とを備えたことを特徴とする足場固定金具。
（２）前記受け部が、前記支柱の周囲に９０°間隔で４つ形成されており、相対向する一対の受け部と、これに直交する他の一対の受け部とは、前記支柱の高さ方向に取り付け位置を異ならせており、前記足場固定金具本体の楔抑え部は、この受け部に挿入される楔部の頭部に当接するように前記足場固定金具本体の上端からの高さを足場固定金具本体の周方向に９０°間隔で異ならせている（１）に記載の足場固定金具。
（３）前記足場固定金具本体が、側面に前記開口を設けた円柱状または多角柱状である（１）または（２）に記載の足場固定金具。
【考案の効果】
【０００９】
本考案によれば、支柱に取り付けた足場固定金具本体は、下部に設けられた楔抑え部で楔部の頭部に当接し、上部に取り付けられたクランプ部で支柱に固定されるので、仮設足場の支柱の受け部に挿入された横架材の抜け止めを簡単な構成で防止できる。
【図面の簡単な説明】
【００１０】
【図１】本考案の一実施形態に係る足場固定金具の使用状態を示す一部破断斜視図である。
【図２】（ａ）は支柱を示す上面図であり、（ｂ）はその側面図である。
【図３】（ａ）は横架材を示す正面図であり、（ｂ）はその側面図である。
【図４】（ａ）は支柱と横架材との組み立てを示す上面図であり、（ｂ）はその側面図である。
【図５】本考案の一実施形態における足場固定金具の斜視図である。
【図６】本考案の一実施形態における足場固定金具本体の斜視図である。
【図７】（ａ）は本考案の別の実施形態における足場固定金具本体の斜視図であり、（ｂ）はその上面図、（ｃ）はその展開図である。
【図８】本考案の別の実施形態に係る足場固定金具の使用形態を示す斜視図である。
【図９】従来の仮設足場の使用状態を示す一部破断斜視図である。
【考案を実施するための形態】
【００１１】
以下、本考案の一実施形態に係る足場固定金具について、図面を参照して説明する。図１に示す足場固定金具１０は、支柱９の外周面に設けた受け部８の上面に設けた受け口８１に、横架材９０の端部に設けた楔部７を上方から挿入して組み立てられる仮設足場において使用される。この足場固定金具１０は、側面に支柱９を内部に挿入するための開口４を形成し、下部に楔部７の頭部に当接する楔抑え部３が形成された足場固定金具本体１と、この足場固定金具本体１の上部に取り付けられた、支柱９に固定するためのクランプ部２とを備えている。
【００１２】
仮設足場の支柱９は、図２（ａ）および（ｂ）に示すような棒状部材であり、その外周面には、横架材９０の楔部７を挿入するため、受け口８１を上面に設けた受け部８を備える。
この受け部８は、金属板を断面略コ字形に折曲して形成され、支柱９の周方向に取り付けられる。なお、受け部８は楔部７を挿入できるのであれば、下面（底面）を楔部７が貫通しなくてもよいが、図４（ｂ）に示すように、楔部７を強固に固定するために下面を楔部７が貫通するのが好ましい。支柱９に横架材９０を直交させて取り付ける場合、受け部８も同様に４つの受け部８が支柱９の周囲に９０°間隔で設置されるのが好ましい。このとき、４つの受け部８は、相対向する一対の受け部８ａと、この一対の受け部８ａに直交する他の一対の受け部８ｂとを含み、一対の受け部８ａと一対の受け部８ｂとは支柱９の高さ方向に取り付け位置が異なる。
【００１３】
横架材９０は、例えば仮設足場における足場板設置用のブラケットあるいは手摺である。
楔部７は、図３（ａ）および（ｂ）に示すように、横架材９０の端部に固定される。この楔部７は、例えば横架材９０を挿入可能な穴部を有し、横架材９０と着脱自在であってよい。
この楔部７は、図４（ａ）および（ｂ）に示すように、上方から受け部８の受け口８１に挿入される。受け部８に挿入された楔部７は、ハンマーなどで頭部を上から叩いて受け部８に固定される。
【００１４】
足場固定金具１０は、図５および６に示すように、受け部８に挿入された楔部７の抜け止めを防止するための足場固定金具本体１と、この足場固定金具本体１を支柱９に固定するためのクランプ部２とを備える。
足場固定金具本体１は、支柱９が内部に挿入される円筒状の部材であり、側面に支柱９を内部に挿入するための開口４と、下部に楔部７の頭部に当接する切欠き状の楔抑え部３とを備える。また、クランプ部２を取り付けるための上部に突出した取り付け板２１は、足場固定金具本体１の外周面の一部に取り付けるか、あるいは一体成型される。足場固定金具本体１の側面に設けた開口４の幅Ｌは、支柱９の外径よりも大きい。これにより、支柱９を足場固定金具本体１に挿入することができる。
この足場固定金具本体１は、支柱９を内部に挿入可能であれば形状は特に限定されず、例えば円柱状や多角柱状などであってもよい。
足場固定金具本体１の材質としては特に限定されないが、例えば金属、樹脂、木材などが挙げられ、好ましくは鉄、アルミニウムなどの金属を用いるのがよい。
【００１５】
楔抑え部３は、図６に示すように、足場固定金具本体１の下部に設けられる湾曲凹部であり、支柱９の受け部８に挿入された楔部７の頭部に上方から当接し、受け部８から楔部７の抜け止めを防止できる。楔抑え部３は支柱９の高さ方向に、足場固定金具本体１の上端からの高さ（長さ）が異なっていてもよい。
楔抑え部３の形状は、楔部７に当接するならば特に限定されないが、例えば、半円形または半楕円形などの円弧状であるのが好ましい。
【００１６】
この楔抑え部３の設置位置は特に限定されないが、前述したように４つの受け部８が支柱９の周囲に９０°間隔で設置され、且つ支柱９の高さ方向に取り付け位置が異なっている場合、楔抑え部３も、足場固定金具本体１の上端からの高さを足場固定金具本体１の周方向に９０°間隔で異ならせる。このとき、相対向する一対の楔抑え部３同士は、足場固定金具本体１の上端からの高さ（長さ）が同じであるか、あるいは一方のみ楔部抑え部３が形成されており、他方は楔部抑え部３の高さと同じに切断されている。
【００１７】
クランプ部２は、図５に示すように足場固定金具本体１の上部に取り付けられる環状の部材であり、一端の表裏面をそれぞれピン２４で回動可能に連結された第１のクランプ部２ａと第２のクランプ部２ｂとを含む。第１のクランプ部２ａは一端がピン２５で第２のクランプ部２ｂと連結され、他端は第２のクランプ部２ｂのボルト２３を挿入可能な凹部２６を備える。また、第２のクランプ部２ｂは、一端はピン２４で第１のクランプ部２ａと連結され、他端はピン２５で連結されたボルト２３とこのボルト２３の先端部に嵌められたナット２２とを備える。
支柱９に足場固定金具１０を取り付けるときは、まず楔部７の上部に楔抑え部３の位置を合わせ、楔抑え部３を楔部７の頭部に当接させた後にクランプ部２による固定を行う。すなわち、ピン２４で第１のクランプ部２ａと第２のクランプ部２ｂとを開いて支柱９を挿入した後、第２のクランプ部２ｂのボルト２３を第１のクランプ部２ａの凹部２６に挿入し、ナット２２を締めて、足場固定金具１０を支柱９に固定する。
このクランプ部２は、足場固定金具本体１から上部へ突出した取り付け板２１に溶接やネジなどで取り付けられる。このクランプ部２の支柱９への取り付け位置は特に限定されるものでないが、作業者が足場・建物側から見て、ナット２２が右側になるよう取り付けるのがよい。
【００１８】
次に、足場固定金具１０を仮設足場に取り付ける手順を説明する。
まず、支柱９の受け部８の受け口８１に、ブラケットあるいは手摺などの横架材９０の端部に取り付けた楔部７を挿入して、仮設足場を組み立てる。
次に、予め足場固定金具本体１にクランプ部２を接続しておいた足場固定金具１０を、開口４を用いて支柱９を内部に挿入させる。
次に、楔部７の上部に楔抑え部３の位置を合わせ、楔抑え部３が楔部７の頭部に当接するように足場固定金具１０を設置する。このとき、直交する楔抑え部３同士が、支柱の高さ方向に取り付け位置を異ならせてある場合、楔抑え部３も同様の位置に合わせる。
最後に、足場固定金具１０が外れないように、クランプ部２のボルト２３のナット２２を締めて、支柱９に固定する。
なお、足場固定金具１０を外す時は、上記した手順を逆から行えばよい。また、取り外した足場固定金具１０は別の現場で再利用が可能である。
【００１９】
（別の実施形態）
次に、本考案の別の実施形態に係る足場固定金具について、図７および８を参照して説明する。なお、前述した部材と同じ部材には同符号を用いて説明を省略する。
【００２０】
図７（ａ）〜（ｃ）に示す足場固定金具１０´は、下部に楔部の頭部７０に当接する楔抑え部３´を設けた足場固定金具本体１´と、この足場固定金具本体１´の上部に後述するクランプ部２を取り付けるための取り付け板２１´とを備える。また、足場固定金具本体１´には、支柱９を内部に挿入するための開口４´が側面に設けられる。
【００２１】
足場固定金具本体１´は、図７（ａ）に示すように、多角形状の板状部材１ａ´および板状部材１ｂ´を有する。
板状部材１ａ´は、図７（ｂ）に示すように、それぞれ側面部１１〜１４の４面を有し、側面部１１と１４の間に、開口４´を設けている。板状部材１ｂ´は、板状部材１ａ´に相似し、板状部材１ａ´の外周面に接着剤や溶接などで接着される。板状部材１ｂ´は、板状部材１ａ´を補強するものであり、例えば二重以上設置してもよい。板状部材１ｂ´は、板状部材１ａ´と同様に下部に楔抑え部３´を有していてもよいが、板状部材１ａ´に楔抑え部３´が形成されている場合、下部に楔抑え部３´が無くてもよい。なお、板状部材１ａ´の外周面には板状部材１ｂ´の側面部が４面設けられているが、側面部１１〜１４と作用は同一であるので説明は省略する。
【００２２】
図７（ｃ）に示すように、１枚の板状部材１ａ´は楔抑え部３´を設けた側面部１１〜１４から構成され、これから各側面部１１〜１４を形成するように折曲げて足場固定金具本体１´を形成する。このとき、側面部１１〜１４は、側面部１１と１３、側面部１２と１４とがそれぞれ相対向するように折曲げられる。
【００２３】
楔抑え部３´は、前述したように、支柱９の高さ方向ｂの高さ（長さ）が異なっていてもよく、側面部１２の楔抑え部３ａ´は、側面部１３の楔抑え部３ｂ´より板状部材１ａ´の上端からの長さが長い。このとき、側面部１２と相対向する側面部１４の下端部１４ａは、楔部の頭部７０と接触するように、楔抑え部３ａ´と楔部の頭部７０との当接部と同じ長さを有しているのが好ましい。なお、下端部１４ａにも楔抑え部３ａ´が設けられていてもよい。これは、側面部１３と相対向する側面部１１の下端部１１ａも同様である。
【００２４】
板状部材１ａ´の折曲げ方は、特に限定されないが、より好ましくは、側面部１２と１３との間を、図７（ｂ）に示すように、９０°で折曲げ、隣り合う側面部１２と１３とが、足場固定金具本体１´内部に挿入される支柱９の側面と当接させる。これにより、足場固定金具本体１´内部と支柱９との間に隙間が空いて、固定が不安定になることなく、安定して足場固定金具１０を支柱９および横架材９０に設置することができる。なお、折曲げの角度が９０°となる箇所は、折曲げられた板状部材１ａ´の形状に関わらず１つ以上あればよい。
【００２５】
以上述べたように、本考案の足場固定金具１０、１０´は、開口４から支柱９へ足場固定金具本体１を取り付け、この足場固定金具本体１のクランプ部２で支柱９を固定し、且つ下部に設けた楔抑え部３を楔部７の頭部に当接させるだけなので、たとえ作業者一人であっても容易に楔部７の抜け止めを防止することができる。また、支柱９への着脱も容易であるので、作業者が一人で設置・撤去を行なうことができる。
【符号の説明】
【００２６】
１、１´  足場固定金具本体
１ａ´、１ｂ´  板状部材
２    クランプ部
２ａ  第１のクランプ部
２ｂ  第２のクランプ部
３、３´、３ａ´、３ｂ´  楔抑え部
４、４´  開口
５      支柱
６      横架材
７      楔部
８      受け部
９      支柱
１０、１０´  足場固定金具
１１〜１４  側面部
１１ａ，１４ａ  下端部
２１  取り付け板
２２  ナット
２３  ボルト
２４、２５ピン
２６  凹部
５０    受け部
５１    受け口
６０    楔部
７０    頭部
８１  受け口
９０      横架材
【図１】
0003204851.tif 000003
【図２】
0003204851.tif 000004
【図３】
0003204851.tif 000005
【図４】
0003204851.tif 000006
【図５】
0003204851.tif 000007
【図６】
0003204851.tif 000008
【図７】
0003204851.tif 000009
【図８】
0003204851.tif 000010
【図９】
0003204851.tif 000011